(57)【要約】【課題】外装ケースを金属製とした場合でもアンテナの受信感度を良好に維持でき、かつ、位置情報を視認しやすく表示できる時計を提供すること。【解決手段】時刻情報表示体２と位置情報表示体３とを別体としているので、時刻情報表示体２を開いて位置情報表示体３を露出させることで、位置情報のみを大きく表示することができ、位置情報を視認しやすく表示することができる。加えて、時刻情報表示体２と位置情報表示体３とを別体としているので、時刻情報表示体２の外装ケースを金属製とした場合であっても、位置情報表示体３の外装ケース３４１を樹脂製とすることで、位置情報を得たい時には時刻情報表示体２を開くことで、位置情報表示体３内のアンテナが時刻情報表示体２の金属製の外装ケースに覆われることがなくなり、アンテナの受信感度を良好に維持することができる。【選択図】図２
2010243181.tif 000002
【特許請求の範囲】
【請求項１】
位置情報衛星から送信される衛星信号を受信するアンテナ、および前記衛星信号に基づ
いた位置情報を表示する表示手段を有する位置情報表示体と、
前記衛星信号に基づいて修正された時刻情報を表示する表示手段を有する時刻情報表示
体とを備え、
前記時刻情報表示体は、前記位置情報表示体上に積層配置されるとともに、前記位置情
報表示体と展開自在に連結されている
ことを特徴とする時計。
【請求項２】
請求項１に記載の時計において、
前記時刻情報表示体の外装ケースは、下方に開口した収納部を有し、
前記位置情報表示体の外装ケースは、外縁部が前記時刻情報表示体の外装ケースに当接
支持されるベース部と、前記ベース部から凸状に設けられ、内部に前記アンテナおよび前
記表示手段を収納するとともに前記収納部内に収納される凸状部とを備える
ことを特徴とする時計。
【請求項３】
請求項２に記載の時計において、
前記時刻情報表示体の前記外装ケースは金属製とされ、前記位置情報表示体の前記外装
ケースは樹脂製とされる
ことを特徴とする時計。
【発明の詳細な説明】
【技術分野】
【０００１】
本発明は、時計に関する。
【背景技術】
【０００２】
従来、外部無線情報をアンテナにて受信可能な時計が利用されている（例えば、特許文
献１）。
特許文献１に記載の時計では、外装ケース内に、メッセージ情報を有する無線信号を受
信するアンテナと、受信したメッセージ情報を表示する液晶表示部および指針を駆動する
アナログ時計部を備えるモジュールとが収容されている。液晶表示部およびアナログ時計
部は、モジュールにおいて平面視で併設されており、共にカバーガラス下に配置される。
これにより、特許文献１に記載の時計では、カバーガラスを介して、液晶表示部により表
示されるメッセージ情報と、指針により表示される時刻情報とを同時に視認することがで
きる。
ところで、近年、ＧＰＳ（Global Positioning System）衛星からの衛星信号を利用し
て正確な時刻情報を表示するとともに、地図上に現在位置を表すことにより位置情報を表
示する時計の開発が望まれている。
【先行技術文献】
【特許文献】
【０００３】
【特許文献１】特開平８−２１１１６９号公報
【発明の概要】
【発明が解決しようとする課題】
【０００４】
しかしながら、このような時計に特許文献１に記載の構成を採用した場合、外装ケース
内にアンテナを収容することとなるので、外装ケースを質感の向上のために金属製とした
場合にアンテナの受信感度が低下してしまうという問題がある。
加えて、特許文献１の構成を採用した場合、位置情報と時刻情報とを同一平面上に表示
することとなるので、各情報の表示領域が狭くなってしまい、各情報が共に視認しづらく
なるという問題がある。ここで、各情報の表示領域を狭めないために、液晶表示部の中央
に、指針が取り付けられる軸を挿通させ、液晶表示部の上方に指針を配置することで、指
針による時刻情報と地図による位置情報とを重ねて表示する構成も考えられるが、この構
成では、各情報が重なりあって表示されるので、やはり各情報が共に視認しづらくなると
いう問題がある。
【０００５】
本発明の目的は、外装ケースを金属製とした場合でもアンテナの受信感度を良好に維持
でき、かつ、時刻情報および位置情報を共に視認しやすく表示できる時計を提供すること
にある。
【課題を解決するための手段】
【０００６】
本発明の時計は、位置情報衛星から送信される衛星信号を受信するアンテナ、および前
記衛星信号に基づいた位置情報を表示する表示手段を有する位置情報表示体と、前記衛星
信号に基づいて修正された時刻情報を表示する表示手段を有する時刻情報表示体とを備え
、前記時刻情報表示体は、前記位置情報表示体上に積層配置されるとともに、前記位置情
報表示体と展開自在に連結されていることを特徴とする。
【０００７】
本発明によれば、時刻情報表示体を、位置情報表示体上に積層配置するとともに位置情
報表示体に展開自在に連結しているので、通常時には、時刻情報表示体を位置情報表示体
上に積層配置することで時刻表示を視認することができ、位置情報を得たい時には、時刻
情報表示体を開いて位置情報表示体を時計の外部に露出させることで、位置情報を視認す
ることができる。この際、各表示体を別体としているので、時計の開閉状態に対応して、
該開閉状態に対応した情報のみを大きく表示することができ、各情報を視認しやすく表示
することができる。
また、各表示体を別体としているので、時計の質感の向上のために時刻情報表示体の外
装ケースを金属製とした場合であっても、位置情報表示体の外装ケースを樹脂製等にする
ことで、時刻情報表示体を開けた際に、アンテナが時刻情報表示体の金属製の外装ケース
に覆われることがなく、樹脂製等の外装ケースのみによって覆われることとなるので、ア
ンテナの受信感度を良好に維持することができる。
【０００８】
本発明の時計では、前記時刻情報表示体の外装ケースは、下方に開口した収納部を有し
、前記位置情報表示体の外装ケースは、外縁部が前記時刻情報表示体の外装ケースに当接
支持されるベース部と、前記ベース部から凸状に設けられ、内部に前記アンテナおよび前
記表示手段を収納するとともに前記収納部内に収納される凸状部とを備えることが好まし
い。
【０００９】
本発明によれば、位置情報表示体の外装ケースの凸状部を、時刻情報表示体の外装ケー
スの収納部内に収納することができるので、時刻情報表示体の外装ケースを金属製とし、
位置情報表示体の外装ケースを樹脂製とした場合のように、各表示体の外装ケースの材質
を異ならせた場合に、その材質の違いを目立たなくすることができ、外観を良好にできる
。
【００１０】
本発明の時計では、前記時刻情報表示体の前記外装ケースは金属製とされ、前記位置情
報表示体の前記外装ケースは樹脂製とされることが好ましい。
本発明によれば、位置情報表示体の凸状部を収納する時刻情報表示体の外装ケースを金
属製とするので、時計全体の外装の質感を時刻情報表示体の金属製の外装ケースによって
形成することができ、外観を向上できる。
【図面の簡単な説明】
【００１１】
【図１】本発明の一実施形態に係る時計を示す斜視図。
【図２】前記実施形態の時計を開いた状態を示す斜視図。
【図３】前記実施形態の時刻情報表示体の構成を模式的に示す断面図。
【発明を実施するための形態】
【００１２】
以下、本発明の一実施形態を図面に基づいて説明する。
図１は、本発明の一実施形態に係る時計１を示す斜視図、図２は、時計１を開いた状態
を示す斜視図である。
時計１は、腕時計として構成されるとともに、ＧＰＳ衛星１１からの衛星信号を利用し
て正確な時刻情報および位置情報を表示可能に構成されている。この時計１は、図１およ
び図２に示すように、現在位置のタイムゾーンの時刻情報をアナログ表示する時刻情報表
示体２と、複数のＧＰＳ衛星１１からの衛星信号を受信し、地図上に現在位置を表すこと
により位置情報を表示する位置情報表示体３とを備えている。
【００１３】
このような時計１において、時刻情報表示体２は、位置情報表示体３上に積層配置され
るとともに、ヒンジ部４により位置情報表示体３と展開自在に連結されている。この時計
１には、これらの表示体２，３が開いたことを検出し、表示体２，３が開いたことを示す
検出信号を位置情報表示体３に出力する図示しないセンサーが取り付けられている。また
、時計１には、各表示体２，３に操作信号を出力可能な図示しない外部操作部材が設けら
れている。
【００１４】
図３は、時刻情報表示体２の構成を模式的に示す断面図である。
この時刻情報表示体２は、液晶ディスプレイや有機ＥＬ(Organic Electro Luminescenc
e)ディスプレイ等から構成されて時刻情報をアナログ表示する表示手段２１と、表示手段
２１に時刻を表示させるモジュール２２と、これら各部材２１，２２に電力を供給する図
示しない電力供給手段と、これら各部材２１，２２を内部に収納する金属製の外装ケース
２３とを備えている。
【００１５】
外装ケース２３は、筒状に形成された胴２３１と、胴２３１の表面側に取り付けられた
カバーガラス２３２と、胴２３１の裏面側から見て胴２３１の内部底側に着脱自在に取り
付けられた蓋部材２３３とを備えている。この蓋部材２３３と胴２３１の内面とから、下
方に開口した凹状の収納部２３４が形成されている。
【００１６】
モジュール２２は、胴２３１、ヒンジ部４、および位置情報表示体３の外装ケース３４
内を通る接続線５を介して位置情報表示体３のモジュール３３に接続されており、内部時
刻を計時して表示手段２１に表示させるとともに、位置情報表示体３から出力される衛星
時刻情報に基づいて内部時刻を現在位置のタイムゾーンの時刻に正確に修正し、該修正し
た正確な内部時刻を表示手段２１に表示させる。また、モジュール２２は、外部操作部材
の操作により、修正した正確な内部時刻に基づいて、各都市がある各タイムゾーンの時刻
情報を表示手段２１に表示させる。
【００１７】
位置情報表示体３は、表示手段３１と、ＧＰＳアンテナ３２と、モジュール３３と、こ
れら各部材３１〜３３を内部に収納する外装ケース３４とを備えている。
表示手段３１は、液晶ディスプレイや有機ＥＬディスプレイ等から構成され、地図上に
現在位置を表すことにより位置情報を表示する。
アンテナ３２は、パッチアンテナであり、時計１が開いて位置情報表示体３が露出した
際に（図２）、原子時計を備えて地球上空を周回する複数の位置情報衛星としてのＧＰＳ
衛星１１から、衛星信号を外装ケース２３を介して受信する。
【００１８】
モジュール３３は、図示しないセンサーにより時計１が開いたことを示す検出信号が入
力されると、または図示しない外部操作部材により所定の操作信号が入力されると、アン
テナ３２にて受信した衛星信号を処理し、極めて正確な時刻情報である衛星時刻情報を取
得して時刻情報表示体２のモジュール２２に接続線５を介して出力するとともに、現在位
置である位置情報を取得して、表示手段３１に該位置情報を地図上に現在位置を表させる
ことにより表示させる。
【００１９】
各部材３１，３３には、時刻情報表示体２内に設けられた電力供給手段から接続線５を
介して電力が供給される。なお、位置情報表示体３側に電力供給手段が設けられ、この電
力供給手段により時刻情報表示体２が電力を供給されていてもよいし、各表示体２，３内
それぞれに電力供給手段が設けられていてもよい。
【００２０】
外装ケース３４は、筒状に形成されたケース本体３４１と、ケース本体３４１の表面側
に取り付けられたカバーガラス３４２と、ケース本体３４１の裏面側に着脱自在に取り付
けられた蓋部材３４３とを備えている。
ケース本体３４１は、非導電性であり渦電流が発生せずアンテナ３２の受信感度が良好
なセラミックや樹脂等の素材から形成されている。このケース本体３４１は、内部に各部
材３１〜３３を収納するとともに時刻情報表示体２の収納部２３４内に収納される筒部３
４１Ａと、筒部３４１Ａの下端に設けられて時刻情報表示体２の外装ケース２３に当接支
持される鍔状部３４１Ｂとを備えている。鍔状部３４１Ｂの側面３４１Ｃには、図示しな
いバンドが取り付けられるかん３０（図２）が設けられている。この鍔状部３４１Ｂと蓋
部材３４３とから、外縁部が時刻情報表示体２の外装ケース２３に当接支持されるベース
部３５が形成される。また、筒部３４１Ａとカバーガラス３４２とから、ベース部３５か
ら凸状に設けられ、内部にアンテナ３２および表示手段３１を収納するとともに時刻情報
表示体２の収納部２３４内に収納される凸状部３６が形成される。
【００２１】
以上の時計１では、通常時は、時刻情報表示体２を位置情報表示体３に対して閉めた図
１の状態で使用する。この状態では、位置情報表示体３は、時刻情報表示体２の収納部２
３４内にほぼ収納された状態となり、時刻情報表示体２により、時刻情報のみを時計１の
平面領域一杯に大きく表示することとなる。このため、時刻情報を視認性良く表示するこ
とができる。なお、この際表示される時刻情報は、衛星信号に基づいて修正された現在位
置のタイムゾーンの時刻情報である。
【００２２】
そして、位置情報を見たい場合には、図２に示すように、時刻情報表示体２を位置情報
表示体３に対して開け、位置情報表示体３を時計１外部に露出させる。これにより、アン
テナ３２は、時刻情報表示体２の金属製の外装ケース２３によって囲まれた状態から解除
されて、樹脂等から形成される外装ケース３４によってのみ囲まれた状態となり、受信感
度が良好となる。
【００２３】
そして、前記のように時刻情報表示体２を位置情報表示体３に対して開けることで、該
動作を図示しないセンサーが検出し、これにより位置情報表示体３のモジュール３３が、
アンテナ３２にて受信した衛星信号を処理し、位置情報を取得して表示手段３１に表示さ
せる。また、モジュール３３が、衛星時刻情報を取得して時刻情報表示体２のモジュール
２２に出力し、時刻情報表示体２のモジュール２２が、該衛星時刻情報に基づいて内部時
刻を現在位置のタイムゾーンにおける正確な時刻に修正する。
【００２４】
以上の本実施形態によれば、以下の効果を奏することができる。
時刻情報表示体２と位置情報表示体３とを別体としているので、時計１の開閉状態に対
応して、該開閉状態に対応した情報のみを大きく表示することができ、各情報を視認しや
すく表示することができる。また、各表示体２，３を別体としているので、位置情報を得
るために時刻情報表示体２を開けた際に、位置情報表示体３内のアンテナ３２が時刻情報
表示体２の金属製の外装ケース２３に覆われることがなく、位置情報表示体３の樹脂製等
の外装ケース３４のみによって覆われることとなるので、アンテナ３２の受信感度を良好
に維持することができる。
【００２５】
位置情報表示体３の外装ケース３４の凸状部を、時刻情報表示体２の外装ケース２３の
収納部２３４内に収納することができるので、各表示体２，３の外装ケース２３，３４の
材質の違いを目立たなくすることができ、外観を良好にできる。
位置情報表示体３をほぼ収納する時刻情報表示体２の外装ケース２３を金属製とするの
で、時計１全体の外装の質感を該金属製の外装ケース２３によって形成することができ、
外観を向上できる。
【００２６】
〔実施形態の変形〕
なお、本発明は前記実施形態に限定されるものではなく、本発明の目的を達成できる範
囲での変形、改良等は本発明に含まれるものである。
前記実施形態では、位置情報表示体３は、時刻情報表示体２の外装ケース２３内にほぼ
収納されていた。しかしながら、位置情報表示体３は、時刻情報表示体２内に収納さてい
なくてもよく、位置情報表示体は、例えば板状に形成され、各表示体は単に積層配置され
るだけでもよい。
【００２７】
前記実施形態では、時刻情報表示体２の表示手段２１は、ディスプレイから構成されて
いたが、時刻情報表示体の表示手段は、指針および文字板から構成されていてもよい。こ
の場合、電力供給手段を、文字板に組み込んだソーラパネル、およびソーラパネルからの
電力を充電する充電池を含んで構成してもよい。
【００２８】
前記実施形態では、時刻情報表示体２の外装ケース２３を金属製としたが、該外装ケー
スは、例えば樹脂製であってもよく、適宜の材料から形成されていてよい。位置情報表示
体３の外装ケース３４も適宜の材料から形成されていてよい。
前記実施形態では、位置情報衛星は、ＧＰＳ衛星であったが、位置情報衛星は、ガリレ
オ（ＥＵ）、ＧＬＯＮＡＳＳ（ロシア）、北斗（中国）などの他の全地球的航法衛星シス
テム（ＧＮＳＳ）やＳＢＡＳＳ(Satellite-Based Augmentation System)などの静止衛星
や準天頂衛星であってもよい。
前記実施形態では、時計は腕時計として構成されていたが、時計は懐中時計として構成
されていてもよい。
【符号の説明】
【００２９】
１…時計、２…時刻情報表示体、３…位置情報表示体、１１…位置情報衛星、２１…時
刻情報表示体の表示手段、２３…時刻情報表示体の外装ケース、３１…位置情報表示体の
表示手段、３２…アンテナ、３４…位置情報表示体の外装ケース、３５…ベース部、３６
…凸状部、２３４…収納部。
【図１】
2010243181.tif 000003
【図２】
2010243181.tif 000004
【図３】
2010243181.tif 000005